(57)【特許請求の範囲】
【請求項１】
回転自在の静電潜像担持体と、この静電潜像担持体の表面を一様に帯電させる帯電手段と、静電潜像担持体上に形成された潜像をトナーで可視像化する現像手段とを備え、異なる色のトナー画像を形成する複数の作像部と、
複数の作像部で形成され、重ね合わされたトナー画像を被転写部材に転写する転写手段と、
転写されたトナー画像を加熱し被転写部材に溶融定着させる定着手段と、
前記定着手段に最も近い作像部から最も遠い作像部に向かう空気流を形成する送風手段とを備え、
前記送風手段が吸気ファンを有し、
一様に帯電した各静電潜像担持体の表面を露光し各静電潜像担持体に潜像を形成する露光装置を、前記複数の作像部の下方に設け、
前記露光装置の、前記定着手段から遠い側面側に前記吸気ファンを設けると共に、前記露光装置の背面側の側面に通風路を形成し、前記吸気ファンによって装置本体内に吸い込まれた外気を前記通風路を介して前記定着手段に最も近い作像部の、駆動源が設けられている背面側に送給し、
前記定着手段に最も近い作像部から順に前記複数の作像部を空冷することを特徴とする画像形成装置。
【請求項２】
前記送風手段が前記吸気ファンと排気ファンとで構成される請求項１記載の画像形成装置。
【請求項３】
前記露光装置と前記複数の作像部との間に、前記露光装置から各作像部の静電潜像担持体に照射される光の光路を確保するためのスリット孔が形成された仕切り板を設け、この仕切り板と前記複数の作像部との間の空間を前記排気ファンに向かって空気が流れるようにした請求項２記載の画像形成装置。
【請求項４】
回転自在の静電潜像担持体と、この静電潜像担持体の表面を一様に帯電させる帯電手段と、静電潜像担持体上に形成された潜像をトナーで可視像化する現像手段とを備え、異なる色のトナー画像を形成する複数の作像部と、
複数の作像部で形成され、重ね合わされたトナー画像を被転写部材に転写する転写手段と、
転写されたトナー画像を加熱し被転写部材に溶融定着させる定着手段と、
前記定着手段に最も近い作像部から最も遠い作像部に向かう空気流を形成する送風手段とを備え、
前記送風手段が吸気ファンと排気ファンとで構成され、
一様に帯電した各静電潜像担持体の表面を露光し各静電潜像担持体に潜像を形成する露光装置を、前記複数の作像部の下方に設け、
前記露光装置の、前記定着手段から遠い側面側に前記吸気ファンを設け、
前記露光装置と前記複数の作像部との間に、前記露光装置から各作像部の静電潜像担持体に照射される光の光路を確保するためのスリット孔が形成された仕切り板を設け、
前記露光装置と前記仕切り板との間に、前記定着手段に最も近い作像部の静電潜像担持体に対応するスリット孔以外のスリット孔を囲むようにシール部材を設け、前記吸気ファンによって装置本体内に吸い込まれた外気が、前記仕切り板の、前記定着手段に最も近い作像部の静電潜像担持体に対応するスリット孔から、前記仕切り板と前記複数の作像部との間の空間に送給されるようにし、
前記定着手段に最も近い作像部から順に前記複数の作像部を空冷することを特徴とする画像形成装置。
【請求項５】
前記仕切り板と前記複数の作像部との間の空間を排気ファンに向かって空気が流れるようにした請求項４記載の画像形成装置。
【請求項６】
回転自在の静電潜像担持体と、この静電潜像担持体の表面を一様に帯電させる帯電手段と、静電潜像担持体上に形成された潜像をトナーで可視像化する現像手段とを備え、異なる色のトナー画像を形成する複数の作像部と、
複数の作像部で形成され、重ね合わされたトナー画像を被転写部材に転写する転写手段と、
転写されたトナー画像を加熱し被転写部材に溶融定着させる定着手段と、
前記定着手段に最も近い作像部から最も遠い作像部に向かう空気流を形成する送風手段とを備え、
前記送風手段が吸気ファンと排気ファンとで構成され、
一様に帯電した各静電潜像担持体の表面を露光し各静電潜像担持体に潜像を形成する露光装置を、前記複数の作像部の下方に設け、
前記露光装置の、前記定着手段から遠い側面側に吸気ファンを設けると共に、前記吸気ファンから前記露光装置の発熱部近傍を通って前記定着手段に最も近い作像部に至る第１通風路と、前記吸気ファンから前記定着手段に最も近い作像部に直接至る第２通風路とを形成し、前記吸気ファンによって装置本体内に吸い込んだ外気を第１通風路及び第２通風路を介して、前記定着手段に最も近い作像部に送給し、
前記定着手段に最も近い作像部から順に前記複数の作像部を空冷することを特徴とする画像形成装置。
【請求項７】
前記排気ファンを、前記定着手段から最も遠い作像部に近接して設けた請求項２〜６のいずれかに記載の画像形成装置。
【請求項８】
前記排気ファンを、装置本体の奥行き方向中央よりも背面側に設けた請求項２〜７のいずれかに記載の画像形成装置。
【発明の詳細な説明】
【技術分野】
【０００１】
本発明は、電子写真方式を適用したプリンタ、複写機、ＦＡＸなどの画像形成装置に関し、より詳細には作像部の冷却手段を備えた画像形成装置に関するものである。
【背景技術】
【０００２】
電子写真方式の画像形成装置では、両面印刷などの高機能化や画質の高精細度化と共に画像形成の高速化が進んで来た。このため装置内部に、定着装置の発熱源以外にも、モータ及びソレノイドなどの駆動部品や制御動作のための電源装置などの発熱部品が多く使用されるようになってきた。加えて、装置の小型化によって、複雑な多数の部品が高密度に実装されるようになってきた。このため、装置内部に熱が滞留しやすくなり、装置内温度が上昇しやすくなっている。装置内温度が高くなると、現像装置内のトナーが溶融固化し、画像品質の低下を来すことがある。
【０００３】
そこで、例えば、特許文献１では、冷却ダクトを二つに分けて、一方の冷却ダクトで加熱定着器に最も近いプロセスカートリッジを優先的に冷却し、他方の冷却ダクトはさらに分割して残るプロセスカートリッジを冷却して、プロセスカートリッジ間の温度差を低減し、装置全体の効率的な冷却を行う技術が提案されている。
【先行技術文献】
【特許文献】
【０００４】
【特許文献１】特開2010-2711号公報
【発明の概要】
【発明が解決しようとする課題】
【０００５】
しかしながら、前記提案技術では、複数の冷却ダクト及び大型の送風機を設ける必要があり、装置が大型化するおそれがある。また、前記提案技術では、プロセスカートリッジを駆動させる駆動部の発熱が考慮されていない。プロセスカートリッジを構成する感光体や現像装置を回転させるモータ等の駆動源及び駆動伝達機構からも多くの熱が発生し、これらの駆動源等からの発熱も考慮した冷却構造が望まれる。
【０００６】
本発明はこのような従来の問題に鑑みてなされたものであり、その目的は、複数の作像部を有する画像形成装置において、装置の大型化を招くことなく複数の作像部を効率的に冷却することにある。
【課題を解決するための手段】
【０００７】
前記目的を達成する本発明に係る画像形成装置は、回転自在の静電潜像担持体と、この静電潜像担持体の表面を一様に帯電させる帯電手段と、静電潜像担持体上に形成された潜像をトナーで可視像化する現像手段とを備え、異なる色のトナー画像を形成する複数の作像部と、複数の作像部で形成され、重ね合わされたトナー画像を被転写部材に転写する転写手段と、転写されたトナー画像を加熱し被転写部材に溶融定着させる定着手段と、
前記定着手段に最も近い作像部から最も遠い作像部に向かう空気流を形成する送風手段とを備え、前記送風手段が吸気ファンを有し、一様に帯電した各静電潜像担持体の表面を露光し各静電潜像担持体に潜像を形成する露光装置を、前記複数の作像部の下方に設け、前記露光装置の、前記定着手段から遠い側面側に前記吸気ファンを設けると共に、前記露光装置の背面側の側面に通風路を形成し、前記吸気ファンによって装置本体内に吸い込まれた外気を前記通風路を介して前記定着手段に最も近い作像部の、駆動源が設けられている背面側に送給し、前記定着手段に最も近い作像部から順に前記複数の作像部を空冷することを特徴とする。
【０００８】
ここで、前記送風手段が吸気ファンと排気ファンとで構成されているのが好ましい。
【０００９】
また、前記露光装置と前記複数の作像部との間に、前記露光装置から各作像部の静電潜像担持体に照射される光の光路を確保するためのスリット孔が形成された仕切り板を設け、この仕切り板と前記複数の作像部との間の空間を排気ファンに向かって空気が流れるようにしてもよい。
【００１０】
前記目的を達成するもう一つの発明に係る画像形成装置は、回転自在の静電潜像担持体と、この静電潜像担持体の表面を一様に帯電させる帯電手段と、静電潜像担持体上に形成された潜像をトナーで可視像化する現像手段とを備え、異なる色のトナー画像を形成する複数の作像部と、複数の作像部で形成され、重ね合わされたトナー画像を被転写部材に転写する転写手段と、転写されたトナー画像を加熱し被転写部材に溶融定着させる定着手段と、前記定着手段に最も近い作像部から最も遠い作像部に向かう空気流を形成する送風手段とを備え、前記送風手段が吸気ファンと排気ファンとで構成され、一様に帯電した各静電潜像担持体の表面を露光し各静電潜像担持体に潜像を形成する露光装置を、前記複数の作像部の下方に設け、前記露光装置の、前記定着手段から遠い側面側に前記吸気ファンを設け、前記露光装置と前記複数の作像部との間に、前記露光装置から各作像部の静電潜像担持体に照射される光の光路を確保するためのスリット孔が形成された仕切り板を設け、前記露光装置と前記仕切り板との間に、前記定着手段に最も近い作像部の静電潜像担持体に対応するスリット孔以外のスリット孔を囲むようにシール部材を設け、前記吸気ファンによって装置本体内に吸い込まれた外気が、前記仕切り板の、前記定着手段に最も近い作像部の静電潜像担持体に対応するスリット孔から、前記仕切り板と前記複数の作像部との間の空間に送給されるようにし、前記定着手段に最も近い作像部から順に前記複数の作像部を空冷することを特徴とする。
【００１１】
ここで、前記仕切り板と前記複数の作像部との間の空間を排気ファンに向かって空気が流れるようにしてもよい。
【００１２】
前記目的を達成するもうさらにもう一つの発明に係る画像形成装置は、回転自在の静電潜像担持体と、この静電潜像担持体の表面を一様に帯電させる帯電手段と、静電潜像担持体上に形成された潜像をトナーで可視像化する現像手段とを備え、異なる色のトナー画像を形成する複数の作像部と、複数の作像部で形成され、重ね合わされたトナー画像を被転写部材に転写する転写手段と、転写されたトナー画像を加熱し被転写部材に溶融定着させる定着手段と、前記定着手段に最も近い作像部から最も遠い作像部に向かう空気流を形成する送風手段とを備え、前記送風手段が吸気ファンと排気ファンとで構成され、一様に帯電した各静電潜像担持体の表面を露光し各静電潜像担持体に潜像を形成する露光装置を、前記複数の作像部の下方に設け、前記露光装置の、前記定着手段から遠い側面側に吸気ファンを設けると共に、前記吸気ファンから前記露光装置の発熱部近傍を通って前記定着手段に最も近い作像部に至る第１通風路と、前記吸気ファンから前記定着手段に最も近い作像部に直接至る第２通風路とを形成し、前記吸気ファンによって装置本体内に吸い込んだ外気を第１通風路及び第２通風路を介して、前記定着手段に最も近い作像部に送給し、前記定着手段に最も近い作像部から順に前記複数の作像部を空冷することを特徴とする。
【００１３】
前記排気ファンは、前記定着手段から最も遠い作像部に近接して設けるのが好ましい。また、前記排気ファンは、装置本体の奥行き方向中央よりも背面側に設けるのが好ましい。
【発明の効果】
【００１４】
本発明に係る画像形成装置では、定着手段に最も近い作像部から最も遠い作像部に向かって空気を流し各作像部を空冷するので、定着手段に近く温度が上昇しやすい作像部が優先的に冷却され、装置の大型化を招くことなく作像部全体を効率的に冷却することができる。
【００１５】
また、本発明に係る画像形成装置では、複数の作像部の下方に露光装置を設けているので、露光装置に内蔵されたレーザ出力部やポリゴンミラー駆動部などの発熱部を通る通風路を設けることによって、複数の作像部と同時に露光装置をも冷却できる。
【００１６】
さらに、排気ファンを装置本体の奥行き方向中央よりも背面側に設ける、あるいは定着手段に最も近い作像部の、駆動源が設けられている背面側に吸気ファンからの外気を給送すると、装置全体の冷却効率が一層向上する。
【図面の簡単な説明】
【００１７】
【図１】本発明に係る画像形成装置の一実施形態を示す概説図。
【図２】定着装置と作像部、露光装置との配置を示す概略斜視図。
【図３】作像部の温度分布を説明するための平面図。
【図４】露光装置の背面側の側面に形成された送風路を説明するための斜視図。
【図５】排気ファンの取付位置を示す作像部の平面図。
【図６】本発明に係る画像形成装置の他の実施形態を示す概説図。
【図７】仕切り板の平面図。
【図８】本発明に係る画像形成装置のさらに他の実施形態を示す概説図。
【図９】吸気ファンから送給される空気の露光装置周囲の流れを示す斜視図。
【図１０】本発明に係る画像形成装置の他の実施形態を示す露光装置の斜視図。
【発明を実施するための形態】
【００１８】
以下、本発明に係る画像形成装置について図に基づいて説明するが、本発明はこれらの実施形態に何ら限定されるものではない。
【００１９】
図１に、本発明に係る画像形成装置の一実施形態を示す概説図を示す。この図に示す画像形成装置は、所謂タンデム方式のカラープリンタである。もちろん、プリンタのほか、さらにスキャナを有する複写機、ファクシミリ又はそれらの機能を複合的に備えた複合機等にも本発明を適用することができる。
【００２０】
画像形成装置Ｄのほぼ中央部に中間転写ユニット１０が設けられている。中間転写ユニット１０の主要構成要素である無端状の中間転写ベルト１１は、ローラ１２とローラ１３との間に張架され、不図示のモータにより反時計回りに回転する。ローラ１２には中間転写ベルト１１を介して二次転写ローラ１４が圧接している。この二次転写ローラ１４と中間転写ベルト１１とのニップ部（二次転写領域）において中間転写ベルト１１上に形成されたトナー像が、搬送されてきた被転写部材Ｐに転写される。
【００２１】
また、ローラ１３には中間転写ベルト１１を介してクリーニングブレード１６が当接し、中間転写ベルト１１上の未転写トナーを回収除去する。
【００２２】
中間転写ベルト１１の下方には、中間転写ベルト１１の回転方向上流側から順に、イエロー（Ｙ）、マゼンタ（Ｍ）、シアン（Ｃ）、ブラック（Ｋ）の４つの作像部２０Ｙ，２０Ｍ，２０Ｃ，２０Ｋ（以下、「作像部２０」と総称することがある）が配置されている。これらの作像部２０は、各色の現像剤をそれぞれ用いて対応する色のトナー像の作成を行う。図１では、マゼンタ（Ｍ）の作像部２０Ｍの構成要素のみに符合を付したが、他の作像部２０Ｙ，２０Ｃ，２０Ｋも同じ構成であるので、以下、色別の符合を付さずに各構成要素について説明する。
【００２３】
作像部２０は、回転自在な感光体ドラム（静電潜像担持体）２１を有し、その周囲には回転方向（時計回り方向）に沿って順に、帯電手段２２、後述する露光装置４０から光路２３、現像手段２４、一次転写ローラ１８および感光体クリーニング部材２５が配置されている。なお、紙面の手前側が使用者の操作側であり、紙面の奥側（装置の背面側）に作像部２０等の駆動源及び駆動伝達機構が設けられている。
【００２４】
作像部２０の感光体ドラム２１と一次転写ローラ１８とが中間転写ベルト１１を挟んで圧接しニップ部（一次転写領域）を形成している。このニップ部で、感光体ドラム２１に形成されたトナー画像は中間転写ベルト１１に転写し、その後前述のように被転写部材に転写される。
【００２５】
作像部２０が配置された下方には露光装置４０が設けられている。露光装置４０から出射された光は光路２３を通ってそれぞれの感光体ドラム２１に照射し、各色に応じた静電潜像をそれぞれの感光体ドラム２１に形成する。後述するように、露光装置４０は、レンズやミラーなどの光路部品の他に、レーザ素子やポリゴンミラーなどの発熱部４１（図１０に図示）を有する。
【００２６】
また、露光装置４０の下方には、給紙カセット５１が装置本体に対して着脱可能に配置されている。給紙カセット５１には被転写部材Ｐが積載収容され、給紙カセット５１の上方側部に配置された給紙ローラ５２の回転によって最上紙から順に１枚ずつ搬送路５０に送り出される。給紙カセット５１から送り出された被転写部材Ｐは、レジストローラ対５３に搬送され、ここで中間転写ベルト１１の回転とタイミングを合わせて二次転写領域に送り出される。
【００２７】
画像形成動作の例について簡単に説明する。まず、各作像部２０において、所定の周速度で回転駆動される感光体ドラム２１の表面が帯電手段２２によって一様に帯電される。次に、帯電された感光体ドラム２１の表面に、画像情報に応じた光が露光装置４０から照射されて、感光体ドラム２１の表面に静電潜像が形成される。続いて、この静電潜像は、現像手段２４から供給されるトナーによって可視像化される。このようにして感光体ドラム２１の表面に形成された各色のトナー像は、感光体ドラム２１の回転によって一次転写領域に達すると、イエロー、マゼンタ、シアン、ブラックの順で、中間転写ベルト１１の上に転写（一次転写）されて重ね合わされる。
【００２８】
中間転写ベルト１１に転写されることなく感光体ドラム２１上に残留した未転写トナーは、感光体クリーニング部材２５で掻き取られ、感光体ドラム２１の表面から除去される。
【００２９】
重ね合わされた４色のトナー像は、中間転写ベルト１１によって二次転写領域に搬送される。一方、そのタイミングに合わせて、レジストローラ対５３から二次転写領域に被転写部材Ｐが搬送される。そして、４色のトナー像が、二次転写領域において中間転写ベルト１１から被転写部材Ｐに一括して転写（二次転写）される。４色のトナー像が転写された被転写部材Ｐは、定着手段３０へ搬送され、定着ローラと加圧ローラのニップ部を通過する。この間に被転写部材Ｐは加熱・加圧されトナー像は被転写部材Ｐに溶融定着する。トナー像が定着した被転写部材Ｐは排紙口ら排紙トレイ９２へ排出される。
【００３０】
このような構造の画像形成装置Ｄにおいて、定着手段３０と複数の作像部２０と露光装置４０の位置関係は図２に示すようになる。定着手段３０からそれぞれの作像部２０までの距離は、作像部２０Ｋが最も短く、作像部２０Ｙが最も遠い。したがって、定着手段３０によって作像部２０Ｋが最も加熱されやすく、作像部２０Ｙが最も加熱されにくい。また、作像部２０における感光体ドラム２１の回転や、現像手段２４の撹拌羽根の回転などの駆動力は各回転軸のシャーシ９３側の一端から伝達される。この他、中間転写ベルト１１の回転駆動力や被転写部材Ｐを搬送するための各種の搬送ローラの回転駆動力もシャーシ９３側に設けた動力源で駆動されている。このような各種の動力源及び動力伝達機構における発熱量も多い。
【００３１】
図３に、作像部２０の平面図を示す。図の右側に定着手段３０が位置しており、背面側に駆動源が位置している。前述のように、作像部２０の温度は定着手段３０に近い方が高くなりやすく、駆動源に近い背面側が高くなりやすい。したがって、作像部２０Ｋの背面側が最も温度が上がりやすく、作像部２０Ｙの正面側が最も温度が上がりにくい。
【００３２】
そこで、本発明に係る画像形成装置では定着手段に最も近い作像部２０Ｋから最も遠い作像部２０Ｙに向かって空気流を形成し、定着手段に最も近い作像部２０Ｋから順に複数の作像部を空冷することとした。
【００３３】
図１において、露光装置４０の、定着手段３０から遠い側面側に吸気ファン（送風手段）６２が設けられ、定着手段３０から最も遠い作像部２０Ｙの左側に排気ファン（送風手段）６１が設けられている。また、図４に示すように、露光装置の背面側の側面に、吸気ファン６２から、定着手段３０の最も近い作像部２０Ｋの背面に至る通風路７０が形成されている。
【００３４】
吸気ファン６２によって吸い込まれた外気は、露光装置４０の側面の通風路７０を通って作像部２０Ｋの背面に給送される。そして、排気ファン６１による吸引によって、露光装置４０の上面を作像部２０Ｋから作像部２０Ｙに向かって外気が流れる。これにより、最も温度が上がりやすい作像部２０Ｋから順に作像部２０が空冷される。また同時に、露光装置４０の背面及び左側面を、吸気ファン６２から給送される空気が通ることによって、露光装置４０の、レーザ出力部やポリゴンミラー駆動部などの発熱部４１（図１０図示）も空冷され得る。
【００３５】
ここで、図５に示すように、排気ファン６１の取付位置を、作像部２０の回転軸方向の中央（図中、Ａ−Ａ線で示す）よりも背面側とすることが推奨される。これにより、作像部２０Ｋから作像部２０Ｙに向かう空気流が、回転軸方向中央よりも背面側を多く流れるようになり、温度の上がりやすい作像部２０の背面側を効果的に空冷することができる。
【００３６】
図６に、本発明に係る画像形成装置の他の実施形態を示す。この図に示す画像形成装置では、作像部２０と露光装置４０の間に仕切り板８０が設けられている。図７に示すように、仕切り板８０には、露光装置４０から出射された光の光路２３を遮らないように、各色の作像部２０に対応した位置にスリット孔８１Ｙ，８１Ｍ，８１Ｃ，８１Ｋが形成されている。また、仕切り板８０には、各作像部２０を装置本体に着脱するためのガイド台８２が各作像部２０に対応して形成されている。後述するように、この仕切り板８０の表面に沿って空気が流れるので、ガイド台８２が空気流の妨げとならないように、ガイド台８２には複数の通風口８３が形成されている。
【００３７】
図６に示すように、吸気ファン６２によって装置本体に吸い込まれた外気は、通風路７０（図４に図示）を通って作像部２０Ｋの背面側から仕切り板８０の上面に送給される。そして、排気ファン６１による吸引によって、仕切り板８０と作像部２０との間の空間を作像部２０Ｋから作像部２０Ｙに向かって空気が流れる。これにより、最も温度が上がりやすい作像部２０Ｋから順に作像部２０が空冷される。
【００３８】
図８に、本発明に係る画像形成装置のさらに他の実施形態を示す。この図に示す画像形成装置では、作像部２０と露光装置４０の間に仕切り板８０を設けた点は、図６に示した画像形成装置と同じであるが、吸気ファン６２によって吸い込んだ外気を露光装置４０の側面ではなく、露光装置４０の主に上面に沿って流し仕切り板８０のスリット孔８１Ｋから上方に流す点が異なる。すなわち、図９に示すように、露光装置４０の上面には各色の作像部２０に光を出射するための出射窓４１Ｙ，４１Ｍ，４１Ｃ，４１Ｋが形成されている。そして、出射窓４１Ｙ，４１Ｍ，４１Ｃを囲むように弾性を有する突条のシール部材４５が設けられている。
【００３９】
露光装置４０と仕切り板８０とを装置本体に取り付けると、露光装置４０と仕切り板８０とは所定の隙間を有して対向する。そして、シール部材４５が仕切り板８０に当接して、出射窓４１Ｍ，４１Ｃ，４１Ｋはシール部材４５によって封止された状態となる。この状態で吸気ファン６２を駆動させると、吸気ファン６２によって装置本体に吸い込まれた外気はシール部材４５の外周を通り（図９を参照）、仕切り板８０のスリット孔８１Ｋから上方に抜ける。そして、排気ファン６１による吸引によって、仕切り板８０と作像部２０との間の空間を作像部２０Ｋから作像部２０Ｙに向かって空気が流れる。これにより、最も温度が上がりやすい作像部２０Ｋから順に作像部２０が空冷される。
【００４０】
図１０に、本発明に係る画像形成装置のさらに他の実施形態を示す。露光装置４０と仕切り板８０との間に、出射窓４１Ｍ，４１Ｃ，４１Ｋを囲むようにシール部材４５を設けて、吸気ファン６２によって装置本体に吸い込まれた外気が、シール部材４５の外周を通り仕切り板８０のスリット孔８１Ｋ（図７に図示）から上方に抜けるようにした点は、図８に示した画像形成装置と同じであり、吸気ファン６２の取付位置を定着手段３０から遠い側面の前面側とした点が異なる。
【００４１】
吸気ファン６２を、定着手段３０から遠い側面の前面側に設けたことによって、吸気ファン６２から送給される空気の流路は、露光装置４０の発熱部４１を通って仕切り板８０のスリット孔８１Ｋに至る第１通風路７１と、仕切り板８０のスリット孔８１Ｋに直接至る第２通風路７２とに分かれる。これにより、作像部２０と共に露光装置４０も冷却できる。
【００４２】
以上説明したすべての実施形態では、送風手段として排気ファン６１と吸気ファン６２とを用いていたが、前記２つのファン以外にさらに他のファンを設けても構わない。
【符号の説明】
【００４３】
１０    中間転写ユニット（転写手段）
２０    作像部
２１    感光体ドラム（静電潜像担持体）
２２    帯電手段
２４    現像手段
３０    定着手段
４０    露光装置
４１    露光装置の発熱部
４５    シール部材
６１    排気ファン（送風手段）
６２    吸気ファン（送風手段）
７０    通風路
７１    第１通風路
７２    第２通風路
８０    仕切り板
８１    スリット孔
Ｄ    画像形成装置
Ｐ    被転写部材
【図１】
0005392279.tif 000002
【図２】
0005392279.tif 000003
【図３】
0005392279.tif 000004
【図４】
0005392279.tif 000005
【図５】
0005392279.tif 000006
【図６】
0005392279.tif 000007
【図７】
0005392279.tif 000008
【図８】
0005392279.tif 000009
【図９】
0005392279.tif 000010
【図１０】
0005392279.tif 000011